(57)【要約】【課題】引起装置の着脱作業が面倒であり、メンテナンスが容易でなかった。【解決手段】引起装置８の駆動軸３２と出力軸３３とを分割する。引起装置８は下部横枠３７を支点に前後回動自在な状態で下部横枠３７に支持し、引起装置８の上部を後方に傾動させて上側着脱手段４７を上部横伝動筒３５に取付けた状態で前記出力軸３３および駆動軸３２が駆動力を伝達可能な状態になると共に、下側係合手段６５が前記下部横枠３７より着脱不能な状態になる構成とし、前記引起装置８の上部を前方に傾動させることで前記上側着脱手段４７を離間させて出力軸３３と駆動軸３２とが分離され、伝動が遮断された状態になると共に、前記下側係合手段６５が着脱可能となる構成とする。【選択図】図６
2012175950.tif 000002
【特許請求の範囲】
【請求項１】
走行装置（２）の上方に脱穀装置（３）を設け、該脱穀装置（３）の横側にグレンタンク（５）を設け、該グレンタンク（５）の前側に操縦部（６）を設け、該操縦部（６）の前方に刈取装置（４）を設け、該刈取装置（４）には、少なくとも、複数の分草体（７）および引起装置（８）を設け、該引起装置（８）の後側に刈刃（１１）を設け、前記分草体（７）と引起装置（８）と刈刃（１１）を取付ける刈取フレーム（２０）の前部上側に上部横伝動筒（３５）を設け、前記刈取フレーム（２０）の前部下側に前記引起装置（８）の下部を取付ける下部横枠（３７）を設け、前記引起装置（８）と前記上部横伝動筒（３５）および下部横枠（３７）との間には、該引起装置（８）の上部および下部を前記上部横伝動筒（３５）および下部横枠（３７）に着脱可能に取付ける上側着脱手段（４７）と下側係合手段（６５）を夫々設け、刈取装置（４）の前記上部横伝動筒（３５）の近傍の部位に、前記引起装置（８）へ駆動力を出力する出力軸（３３）を設け、引起装置（８）の上部の前記上側着脱手段（４７）の近傍に前記出力軸（３３）からの駆動力が入力される駆動軸（３２）を設け、前記引起装置（８）は前記下部横枠（３７）を支点に前後回動自在な状態で下部横枠（３７）に支持し、前記引起装置（８）の上部を後方に傾動させて前記上側着脱手段（４７）を前記上部横伝動筒（３５）に取付けた状態で前記出力軸（３３）および駆動軸（３２）が駆動力を伝達可能な状態になると共に、前記下側係合手段（６５）が前記下部横枠（３７）より着脱不能な状態になる構成とし、前記引起装置（８）の上部を前方に傾動させることで前記上側着脱手段（４７）を離間させて出力軸（３３）と駆動軸（３２）とが分離され、伝動が遮断された状態になると共に、前記下側係合手段（６５）が着脱可能となる構成としたことを特徴とするコンバイン。
【請求項２】
請求項１において、前記上部横伝動筒（３５）に前記出力軸（３３）を設け、前記上部横伝動筒（３５）と前記下部横枠（３７）とは、前記引起装置（８）の背面側で縦枠（３６）により連結したことを特徴とするコンバイン。
【請求項３】
請求項１または請求項２において、前記下側係合手段（６５）は、前記引起装置（８）に設けた一部に係合孔（６６）を開口させた開環円筒状の係合体（６７）と、前記下部横枠（３７）に設けた係合体（６７）の内周に当接する円弧状の一対の当接面（６８）と、一対の当接面（６８）を結ぶ平行な挿入面（６９）とにより形成した固定側係合部（７０）とにより形成し、固定側係合部（７０）は前記挿入面（６９）を前上がりに傾斜させて前記下部横枠（３７）に設けたことを特徴とするコンバイン。
【請求項４】
請求項１または請求項２において、前記下側係合手段（６５）は、前記下部横枠（３７）に基部を固定した軸（７５）の先端に大径部（７６）を設けて固定側係合部（７０）を形成し、前記係合体（６７）は前記大径部（７６）を通過させうる挿通孔（７７）とこの挿通孔（７７）に連通する前記軸（７５）が移動自在かつ前記大径部（７６）が通過しない移動溝（７８）とにより構成したことを特徴とするコンバイン。
【請求項５】
請求項１または請求項２において、前記下側係合手段（６５）は、下部横枠（３７）に該下部横枠（３７）に対して回転のみ自在の回転部（８０）と、該回転部（８０）に形成した係合孔（８１）とにより前記固定側係合部（７０）を構成し、引起フレーム（２６）の下部の係合体（６７）を前記係合孔（８１）に係合する係合軸（８２）により構成したことを特徴とするコンバイン。
【発明の詳細な説明】
【技術分野】
【０００１】
本発明は、コンバインに係るものである。
【背景技術】
【０００２】
従来、刈取装置の引起装置の駆動軸を出力軸にスプライン嵌合させて、着脱自在にした構成は、公知である（例えば、特許文献１参照）。
【先行技術文献】
【特許文献】
【０００３】
【特許文献１】特開２００７−７５０３１号公報
【発明の概要】
【発明が解決しようとする課題】
【０００４】
前記公知のものは、単に、引起装置の駆動軸部分の着脱に関するものであり、他の部分の引起装置の着脱は面倒あり、メンテナンスが容易でないという課題がある。
本願は、引起装置の取付構成を工夫し、引起装置の着脱を容易にすると共に、引起装置の取付及び支持強度を向上させ、刈取装置全体の剛性を向上させたものである。
【課題を解決するための手段】
【０００５】
請求項１の発明は、走行装置２の上方に脱穀装置３を設け、該脱穀装置３の横側にグレンタンク５を設け、該グレンタンク５の前側に操縦部６を設け、該操縦部６の前方に刈取装置４を設け、該刈取装置４には、少なくとも、複数の分草体７および引起装置８を設け、該引起装置８の後側に刈刃１１を設け、前記分草体７と引起装置８と刈刃１１を取付ける刈取フレーム２０の前部上側に上部横伝動筒３５を設け、前記刈取フレーム２０の前部下側に前記引起装置８の下部を取付ける下部横枠３７を設け、前記引起装置８と前記上部横伝動筒３５および下部横枠３７との間には、該引起装置８の上部および下部を前記上部横伝動筒３５および下部横枠３７に着脱可能に取付ける上側着脱手段４７と下側係合手段６５を夫々設け、刈取装置４の前記上部横伝動筒３５の近傍の部位に、前記引起装置８へ駆動力を出力する出力軸３３を設け、引起装置８の上部の前記上側着脱手段４７の近傍に前記出力軸３３からの駆動力が入力される駆動軸３２を設け、前記引起装置８は前記下部横枠３７を支点に前後回動自在な状態で下部横枠３７に支持し、前記引起装置８の上部を後方に傾動させて前記上側着脱手段４７を前記上部横伝動筒３５に取付けた状態で前記出力軸３３および駆動軸３２が駆動力を伝達可能な状態になると共に、前記下側係合手段６５が前記下部横枠３７より着脱不能な状態になる構成とし、前記引起装置８の上部を前方に傾動させることで前記上側着脱手段４７を離間させて出力軸３３と駆動軸３２とが分離され、伝動が遮断された状態になると共に、前記下側係合手段６５が着脱可能となる構成としたことを特徴とするコンバインとしたものであり、分草体７により分草し、引起装置８により引起し、刈刃１１により刈り取り、脱穀する。
左右に複数並設した引起装置８のうち、非引起作用側を対向させた二つの引起装置８は、引起装置８の下部の下側係合手段６５を下部横枠３７に取付け、引起装置８を後側に回動させて、引起装置８の駆動歯車２７の駆動軸３２を、引起支持枠体３４側の出力軸３３にスプライン嵌合させ、上側着脱手段４７により引起装置８の上部を上部横伝動筒３５側に固定して、引起装置８を装着する。
反対に、上側着脱手段４７を外して引起装置８を前側に回動させると、引起装置８の駆動軸３２が、刈取装置４側の出力軸３３から外れ、引起装置８の後方に空間が形成され、メンテナンス作業を行える。
また、下側係合手段６５を外すと、引起装置８を下部横枠３７から外せ、引起装置８および引起装置８を取り外した刈取装置４のメンテナンス作業を行う。
請求項２の発明は、前記上部横伝動筒３５に前記出力軸３３を設け、前記上部横伝動筒３５と前記下部横枠３７とは、前記引起装置８の背面側で縦枠３６により連結したことを特徴とするコンバインとしたものであり、上部横伝動筒３５と下部横枠３７とを、引起装置８の背面側で縦枠３６により連結しているので、引起装置８は上部横伝動筒３５と下部横枠３７と縦枠３６により支持された状態で分草体７により分草された穀稈を引き起こす。
請求項３の発明は、前記下側係合手段６５は、前記引起装置８に設けた一部に係合孔６６を開口させた開環円筒状の係合体６７と、前記下部横枠３７に設けた係合体６７の内周に当接する円弧状の一対の当接面６８と、一対の当接面６８を結ぶ平行な挿入面６９とにより形成した固定側係合部７０とにより形成し、固定側係合部７０は前記挿入面６９を前上がりに傾斜させて前記下部横枠３７に設けたことを特徴とするコンバインとしたものであり、引起装置８の係合体６７の係合孔６６を下部横枠３７の固定側係合部７０の当接面６８に合せ、係合体６７を固定側係合部７０の外周に嵌合させる。次に、引起装置８を後方回動させると、係合体６７の係合孔６６と当接面６８との位置がずれ、係合孔６６が固定側係合部７０の内周に当接し、下側係合手段６５は下部横枠３７から外れずに係合状態になり、刈取作業を行う。
反対に、引起装置８を前側に回動させると、係合体６７の係合孔６６に固定側係合部７０の当接面６８が臨むので、斜め前方に引き抜くように引起装置８を移動させると、引起装置８を下部横枠３７から取り外せる。
請求項４の発明は、前記下側係合手段６５は、前記下部横枠３７に基部を固定した軸７５の先端に大径部７６を設けて固定側係合部７０を形成し、前記係合体６７は前記大径部７６を通過させうる挿通孔７７とこの挿通孔７７に連通する前記軸７５が移動自在かつ前記大径部７６が通過しない移動溝７８とにより構成したことを特徴とするコンバインとしたものであり、下部横枠３７の大径部７６に挿通孔７７を合わせて係合させ、次に、引起装置８を後方回動させると、軸７５が移動溝７８を移動し、大径部７６が移動溝７８から抜けずに、係合状態になり、下側係合手段６５は下部横枠３７から外れずに係合状態になり、刈取作業を行う。
反対に、引起装置８を前側に回動させると、軸７５が移動溝７８を移動して、大径部７６が挿通孔７７に臨むので、斜め前方に引き抜くように引起装置８を移動させると、引起装置８を下部横枠３７から取り外せる。
請求項５の発明は、前記下側係合手段６５は、下部横枠３７に該下部横枠３７に対して回転のみ自在の回転部８０と、該回転部８０に形成した係合孔８１とにより前記固定側係合部７０を構成し、引起フレーム２６の下部の係合体６７を前記係合孔８１に係合する係合軸８２により構成したことを特徴とするコンバインとしたものであり、下部横枠３７の回転部８０の係合孔８１に下側係合手段６５の係合軸８２を係合させ、引起装置８を後側に回動させて、引起装置８の駆動軸３２を、刈取装置４側の出力軸３３にスプライン嵌合させ、上側着脱手段４７により引起装置８の上部を刈取装置４の上部横伝動筒３５側に固定して、引起装置８を装着する。
反対に、上側着脱手段４７を外し、引起装置８を前側に回動させて、引起装置８の駆動軸３２を、刈取装置４側の出力軸３３から外し、斜め前方に引き抜くように引起装置８を移動させると、回転部８０の係合孔８１から下側係合手段６５の係合軸８２が抜けて、引起装置８を下部横枠３７から取り外せる。
【発明の効果】
【０００６】
請求項１の発明では、上側着脱手段４７を外して引起装置８を前側に回動させると、引起装置８の駆動軸３２を出力軸３３から外すことができ、引起装置８の後方に空間を形成してメンテナンス作業を容易にすることができ、また、下側係合手段６５を外すと、引起装置８を下部横枠３７から外せて、引起装置８の着脱を容易にすることができる。
請求項２の発明では、上部横伝動筒３５と下部横枠３７とを縦枠３６により連結しているので、引起装置８の支持剛性を向上させ、引起作用を安定させて行うことができ、また、刈取フレーム２０全体の剛性も向上させることができ、刈取作業の作業安定性を向上させることができ、また、下部横枠３７と出力軸３３との位置関係が変化しにくく、引起装置８を下部横枠３７に支持させた状態で、出力軸３３と駆動軸３２との位置合わせを容易に行うことができる。
請求項３の発明では、引起装置８の係合体６７の係合孔６６を下部横枠３７の固定側係合部７０の当接面６８に合せて嵌合させて引起装置８を後方回動させると、下側係合手段６５は下部横枠３７から外れずに係合状態になり、着脱操作を容易にでき、また、簡単な構成で安価な着脱機構を提供できる。
請求項４の発明では、下側係合手段６５を軸７５と大径部７６の固定側係合部７０と、挿通孔７７と移動溝７８とにより構成しているので、着脱操作を容易にでき、また、簡単な構成で安価な着脱機構を提供できる。
請求項５の発明では、下部横枠３７の回転部８０と係合孔８１により固定側係合部７０を構成しているので、着脱操作を容易にでき、また、簡単な構成で安価な着脱機構を提供できる。
【図面の簡単な説明】
【０００７】
【図１】コンバインの側面図。
【図２】刈取装置の一部を省略した概略平面図。
【図３】同一部を省略した正面図。
【図４】同一部を省略した側面図。
【図５】引起装置の背面図。
【図６】非引起作用側を対向させた引起装置の背面図。
【図７】引起装置の駆動軸の嵌合させる状態の断面図。
【図８】引起支持枠体の正面図。
【図９】下側係合手段の側面図および下側係合手段の係合操作状態の側面図。
【図１０】引起装置の作業状態の側面図。
【図１１】下側係合手段の他の実施例の係合操作状態の側面図。
【図１２】同下側係合手段の係合状態の側面図。
【図１３】同引起装置の作業状態の側面図。
【図１４】下側係合手段の他の実施例の一部背面図。
【図１５】同係合操作状態の側面図。
【図１６】同下側係合手段の係合状態の側面図。
【図１７】同引起装置の作業状態の側面図。
【図１８】引起装置の前側回動状態の側面図。
【図１９】引起装置の側面図。
【図２０】下側係合手段の他の実施例の開放状態側面図。
【図２１】同係合状態側面図。
【図２２】同背面図。
【図２３】同斜視図。
【図２４】上側着脱手段の側面図。
【発明を実施するための形態】
【０００８】
本発明の実施例を図により説明すると、１は機体フレーム、２は走行装置、３は走行装置２の上方位置に設けた脱穀装置、４は刈取装置、５は脱穀装置３の側部に設けたグレンタンク、５はグレンタンク、６は操縦部である。
刈取装置４は、分草体７と、各分草体７の後方の引起装置８等を有して構成する。９は引起装置８の後方の掻込装置、１０は前側株元搬送装置、１１は刈刃、１２は穂先搬送装置、１３は後側搬送装置、１４は後側穂先搬送装置、１５は株元引継搬送装置、１６は穂先引継搬送装置、１７は脱穀装置３に穀稈を供給する穀稈供給搬送装置である。
刈取装置４は、前記分草体７や引起装置８等を取付けた刈取フレーム２０を有して構成し、刈取フレーム２０の下部横伝動ケース２１に、前後方向の縦支持フレーム２２の先端を取付け、縦支持フレーム２２の基部に設けた基部側横伝動ケース（図示省略）を、機体フレーム１の支持台に回動自在に取付け、刈取上下シリンダ（図示省略）により刈取装置４を上下動自在に構成している。
【０００９】
前記刈取フレーム２０は、下部横伝動ケース２１の左右側のうちの一方側に側部伝動ケース（図示省略）を設け、下部横伝動ケースの左右側のうちの他方側に側部フレーム（図示省略）を設け、側部伝動ケースと側部フレームの間に上部横伝動ケース２４を設ける。
上部横伝動ケース２４には縦軸筒形状の引起伝動筒２５の上部を取付け、引起伝動筒２５には引起装置８を吊設する。
前記引起装置８は、引起フレーム２６に設けた駆動歯車２７と下部従動ローラー２８とテンション歯車２９とに引起ラグ３０を所定間隔おいて複数起伏自在に取付けた引起チェン３１を掛け回して構成している。前記駆動歯車２７は、駆動軸３２により引起フレーム２６に軸装する。駆動軸３２は引起フレーム２６に回転のみ自在に軸装している。駆動軸３２は出力軸３３に着脱自在にスプライン嵌合させる。
【００１０】
即ち、駆動軸３２と出力軸３３とは、引起フレーム２６側に設けたハブ部９２に軸装した駆動軸３２と、後述する引起支持枠体３４の上部横伝動筒３５に設けたメタル部材９０に軸装した出力軸３３とに分割形成し、出力軸３３に形成したスプライン溝９１にハブ部９２を着脱自在に印籠継ぎ状態でスプライン嵌合させる構成としている。
また、引起装置８は、引起フレーム２６に後述する引起カバー９３と引起フレーム２６と引起チェン３１とテンションアーム９４とテンション調節機構９５をアッシー状態に組み付けて構成して、引起装置８の駆動軸３２のハブ部９２をメタル部材９０の出力軸３３に着脱自在にスプライン嵌合させる。
【００１１】
左右に複数並設した引起装置８のうち、非引起作用側を対向させた二つの引起装置８は、その引起フレーム２６を引起伝動筒２５の下部に設けた矩形形状の引起支持枠体３４に取付ける。
引起支持枠体３４は、その上部横伝動筒３５の左右中央部分を固定状態に取付ける上部横伝動筒３５の両側には前記メタル部材９０を夫々設ける。
上部横伝動筒３５の左右両側には前記引起支持枠体３４の左右の縦枠３６の上部を固定状態に取付ける。左右の縦枠３６の下部には下部横枠３７を固定状態に取付ける。下部横枠３７の下部は、縦杆３８により分草杆３９に取付け、分草杆３９の基部は刈刃フレーム４０に固定する。
そのため、刈取装置４の刈取フレーム２０の剛性を高め、作業負荷による刈取装置４の各部の位置ずれが起こりにくく、刈取作業を円滑にする。
【００１２】
また、引起支持枠体３４に、非引起作用側を対向させた二つの引起装置８の引起フレーム２６を着脱自在に取付ける。
そのため、メンテナンス作業を容易にする。
この場合、非引起作用側を対向させた二つの引起装置８の引起フレーム２６の上下部分を連結杆４１により連結しておくと、二つの引起装置８を引起支持枠体３４に対して一度に着脱でき、着脱が容易になる。
前記引起装置８の引起フレーム２６は、引起ラグ３０の案内レール等を引起ラグ３０の作用側に設けるために、引起フレーム２６の引起ラグ３０の作用側の側縁４３は引起ラグ３０の移動軌跡より外側に位置させるが、引起ラグ３０の非作用側は倒伏した引起ラグ３０の移動スペースを考慮して開放部４４に形成しており、前記非引起作用側を対向させた二つの引起装置８は、左右の引起フレーム２６の夫々の外側を引起ラグ３０の作用域として配置し、前記引起支持枠体３４の縦枠３６は開放部４４から外した位置に配置する。
【００１３】
そのため、引起装置８の引起フレーム２６の開放部４４から排出される藁屑が、引起支持枠体３４の縦枠３６によって邪魔されることなく排出され、藁屑の詰まりによる引起装置８の作動不良が起こりにくくなり、刈取作業を円滑に維持できる。
即ち、引起支持枠体３４の縦枠３６は、正面視において引起フレーム２６と重なるようにし、引起フレーム２６の裏側に所定の間隔おいて略平行に配置しており、縦枠３６の存在が、引起装置８の引起フレーム２６の開放部４４からの藁屑の排出に影響せず、藁屑の詰まりによる引起装置８の作動不良が起こりにくくなり、刈取作業を円滑に維持できる。
前記引起フレーム２６の上部は前記引起支持枠体３４の上部横伝動筒３５側に着脱自在に上側着脱手段４７により取付け、前記引起フレーム２６の下部は前記引起支持枠体３４の下部横枠３７に下側係合手段６５により着脱自在に係合させて取付ける。
そのため、引起装置８の下部を下側係合手段６５により引起支持枠体３４の下部横枠３７に係合させ、引起装置８の上部を下部横枠３７中心に後側に回動させて、引起装置８の駆動歯車２７の駆動軸３２を、引起支持枠体３４側の出力軸３３にスプライン嵌合させ、上側着脱手段４７により引起フレーム２６の上部を前記引起支持枠体３４の上部横伝動筒３５側に固定して、引起装置８を装着する。
【００１４】
前記下側係合手段６５は、引起フレーム２６の一部に設けた係合孔６６により開口させて開環円筒状に形成した係合体６７と、該係合体６７の内周に当接する円弧状の一対の当接面６８および一対の当接面６８を結ぶ平行な挿入面６９とにより形成した固定側係合部７０とにより構成する。
固定側係合部７０は、前上がりに傾斜させ、引起支持枠体３４から離れた状態の引起装置８側の係合体６７の係合孔６６を下部横枠３７の固定側係合部７０の当接面６８に合致させ、係合体６７内に固定側係合部７０を挿入して引起装置８を下部横枠３７中心に後方回動させて引起装置８の上部を引起支持枠体３４に当接させると、係合体６７の係合孔６６と当接面６８との位置がずれ、下側係合手段６５が下部横枠３７から外れない構成としている。
そのため、一々着脱操作をすることなく、引起装置８を前後方向に回動させるだけで、脱着できるので、着脱操作を容易にする。
【００１５】
また、円筒状の係合体６７と円柱の外周に挿入面６９を形成した固定側係合部７０により下側係合手段６５を構成できるので、構成を簡素にでき、安価に提供できる。
また、上側着脱手段４７の構成は任意であるが、一例を示すと、引起装置８側に係合部材４８を設け、係合部材４８に係合する係合フック４９を引起支持枠体３４側に設け、前記係合フック４９をレバー部５０の操作により係合部材４８に対して遠近移動するように取付けて構成する（図７）。
即ち、レバー部５０を軸５１により引起支持枠体３４側の所定箇所に回動自在に取付け、レバー部５０の軸５１よりレバー部５０の操作端５２側の位置にＵ形状の係合フック４９の基部を取付け、レバー部５０を操作すると、係合フック４９の基部が軸５１の軸周りを移動して、係合フック４９の先端位置を移動させて、前記引起装置８側の係合部材４８に係合離脱するように構成している。
【００１６】
実施例では、前記引起フレーム２６の裏面に係合部材４８を設け、前記引起支持枠体３４の上部横伝動筒３５側に係合フック４９を設けている。
前記上側着脱手段４７の係合フック４９は、レバー部５０の開き方向を引起ラグ３０の作用域側に開くように構成する。
そのため、引起装置８の外側から上側着脱手段４７付近への手の挿入を容易にし、操作性を向上させられる。
図１２〜図１４は、下側係合手段６５の他の実施例を示し、前記下部横枠３７に設けた固定側係合部７０を、軸７５の先端に大径部７６を設けて形成し、円筒部材により形成した前記係合体６７を引起装置８側に設けて構成し、係合体６７には前記大径部７６を通過させうる挿通孔７７とこの挿通孔７７に連通する前記軸７５のみが移動自在の細幅の移動溝７８とを設けている。
そのため、引起装置８の係合体６７の挿通孔７７を固定側係合部７０の大径部７６に挿通し、この状態で引起装置８を下部横枠３７中心に後側に回動させると、固定側係合部７０の軸７５が係合体６７の移動溝７８に嵌り、引起装置８の下部は引起支持枠体３４の下部横枠３７から外れなくなる。
【００１７】
したがって、一々着脱操作をすることなく、引起装置８を前後方向に回動させるだけで、脱着できるので、着脱操作を容易にする。
この場合、下側係合手段６５の固定側係合部７０は、下部横枠３７の引起装置８の搬送通路側に設ける。
そのため、下側係合手段６５に穀稈や藁屑の引っ掛かりを防止する。
図１５〜図１８は、下側係合手段６５の他の実施例を示し、下部横枠３７の一部を回転のみ自在に構成した回転部８０と、該回転部８０に形成した係合孔８１とにより前記固定側係合部７０を構成し、引起フレーム２６の下部に設けた係合体６７を前記係合孔８１に係合する係合軸８２により構成する。
そのため、引起装置８の係合体６７の係合軸８２を固定側係合部７０の係合孔８１に係合させ、この状態で引起装置８を下部横枠３７中心に後側に回動させ、引起装置８の駆動歯車２７の駆動軸３２を、引起支持枠体３４側の出力軸３３にスプライン嵌合させ、上側着脱手段４７により引起フレーム２６の上部を前記引起支持枠体３４の上部横伝動筒３５側に固定して、引起装置８を装着する。
【００１８】
また、図示は省略するが、下部横枠３７の左右両側に外側に至るに従い細くなるテーパー部を設けて前記固定側係合部７０を構成し、前記引起フレーム２６の下部の係合体６７を前記テーパー部の外周を挟持するテーパー状のテーパー係合体により構成してもよい。
このように構成すると、引起装置８の係合体６７のテーパー係合体を固定側係合部７０のテーパー部に挟持係合させ、この状態で引起装置８を後側に回動させ、引起装置８の駆動歯車２７の駆動軸３２を、引起支持枠体３４側の出力軸３３にスプライン嵌合させ、上側着脱手段４７により引起フレーム２６の上部を前記引起支持枠体３４の上部横伝動筒３５側に固定して、引起装置８を装着する。
そして、固定側係合部７０のテーパー部と係合体６７のテーパー係合体により、左右方向の引起装置８の移動が規制され、着脱操作に伴う引起装置８の左右方向の位置ずれ発生を防止でき、円滑な引起作業を確保しつつ引起装置８の着脱操作を容易にする。
【００１９】
図１９〜図２５は、下側係合手段６５の他の実施例を示し、引起装置８に係合部材４８と係合フック４９を設けて係合体６７とし、断面略正円んの下部横枠３７を固定側係合部７０として構成し、係合体６７である係合フック４９と係合部材４８により固定側係合部７０となる下部横枠３７の外周を包囲（挾持）して係合状態とするように構成している。
係合体６７は、レバー部５０を軸５１により引起フレーム２６の所定箇所に回動自在に取付け、レバー部５０の軸５１よりレバー部５０の操作端５２側の位置にＵ形状の係合フック４９の基部を取付け、レバー部５０を操作すると、係合フック４９の基部が軸５１の軸周りを移動して、係合フック４９の先端位置を移動させて、前記係合部材４８に係合離脱するように構成している。
実施例では、前記引起フレーム２６の裏面の下側に係合部材４８を設け、上側に係合フック４９を設けている。係合部材４８は、引起フレーム２６の裏面に設けた取付部５３に受部５４の基部を軸５５により回動自在に取付け、受部５４に係合部５６を設け、受部５４の上方に上側受部５４Ａを設け、下部横枠３７を挟持するように構成している。
【００２０】
したがって、取付部５３を下部横枠３７の上面に当接させ、係合部材４８の受部５４を軸５５中心に上方回動させて、係合フック４９を係合させ、レバー部５０を操作すると、係合部材４８と取付部５３による挾持状態を係合フック４９が保持し、引起装置８を下部横枠３７の軸心を中心に前後に回動させられる。
引起装置８の下側係合手段６５と引起支持枠体３４の下部横枠３７との間において、引起装置８の取付位置を変更長可能にする調節手段９６を設ける（図６、図２２，図２３）。
例えば、調節手段９６は、縦杆３８に板部材９７を設け、板部材９７の縦の長孔９８から螺子を挿通して下部横枠３７の取付孔（図示省略）に螺合させる。
そのため、縦の長孔９８の長さ分引起装置８を上下させられ、部品の製造誤差や組付誤差を吸収し、組立作業を容易にする。
【００２１】
左右に複数並設した引起装置８のうち、非引起作用側を対向させた二つの引起装置８の引起フレーム２６を取付けた引起支持枠体３４の下部横枠３７の左右中間部分には縦杆３８により分草杆３９に取付け、分草杆３９から前記引起装置８の引起フレーム２６の上端部背面側に亘る第一分草ガイド棒６１を設ける。第一分草ガイド棒６１の下部は分草体７の取付部６２に軸６３により回動自在に取付ける。
分草体７の取付部６２は分草杆３９に前後一対のボルト６４により取付け、後側のボルト６４を取り外すか弛めると、分草体７は分草杆３９に対して下方回動可能に構成する。
そのため、刈取装置４を下降させて、分草体７の取付部６２と分草杆３９との取付部分の後側のボルト６４を取り外しあるいは弛めて、分草体７と分草杆３９と第一分草ガイド棒６１を一体に下方回動させる。
【００２２】
次に、第一分草ガイド棒６１と引起装置８の前面との間に空間ができるので、第一分草ガイド棒６１と引起フレーム２６上端との上側着脱手段４７の係合を解除し、引起フレーム２６を下部横枠３７の軸心を中心に前側回動させ、駆動軸３２を出力軸３３から外せる。
それゆえ、引起装置８を引起支持枠体３４に対して第一分草ガイド棒６１を分草杆３９から外すことなく、引起装置８を前側回動させて、引起装置８と引起支持枠体３４との間に空間を形成でき、藁屑除去等の操作性および作業性を向上させられる。
更に、前記下側係合部下側係合手段６５の係合フック４９を、係合部材４８から外すと、引起支持枠体３４から引起装置８全体を外せる。
また、分草体７を分草杆３９に対して下方させられるので、引起装置８の周辺に空間を形成でき、引起装置８を前方回動させたときの分草体７との干渉を避けられる。
【００２３】
反対に、分草杆３９と第一分草ガイド棒６１を一体に上方回動させ、第一分草ガイド棒６１の上部を引起支持枠体３４側に設けた保持具１００に係合させ、分草体７の取付部６２と分草杆３９とをボルト６４により固定して、第一分草ガイド棒６１を装着する。
また、前記前記第一分草ガイド棒６１は引起支持枠体３４の左右中央部に設けると、第一分草ガイド棒６１の左右両側で中央２条の引起フレーム２６を背面対向状態で配置でき、第一分草ガイド棒６１によって分草された穀稈を、この２条の引起装置８で円滑に引き起こせる。
なお、８６は最も左側にある分草体７に設けた第二分草ガイド棒であり、未刈地側のの穀稈を分草体７に引き続き案内誘導する（図３）。８５はガイド体であり、引起穀稈を後方に案内誘導する（図８）。
保持具１００は面で支持する構成とする。
そのため、支持強度を向上させられる。
【００２４】
前記引起支持枠体３４の下部横枠３７は、引起装置８の引起フレーム２６の下部を支持した状態において、引起フレーム２６の下部に設けた下部従動ローラー２８の軸心より上方に位置させる。
そのため、引起装置８の引起ラグ３０の作用域下端から下部横枠３７が上方に遠ざかるので、下部横枠３７は引起ラグ３０が引き起こしている穀稈の株元から離れ、引起穀稈の株元への下部横枠３７の干渉を抑制し、引起作業を円滑にする。
前記引起フレーム２６は、引起装置８の引起カバー９３の後方に設ける。
そのため、引起カバー９３の着脱に影響せず、着脱を容易にする。
前記引起フレーム２６は、引起フレーム２６の前側に装着する引起カバー９３の後方で、正面視において引起カバー９３のシルエット内に収まるように設けると、引起装置８により引き起こされる穀稈は、引起カバー９３により引起フレーム２６の外側の引起ラグ３０の作用域に誘導されるので、引起穀稈と引起フレーム２６との接触を避け、引起フレーム２６に藁屑が引っ掛かるのを防止でき、好適である。
【００２５】
また、上記した引起装置８のフレーム構成の全ての構成品を引起カバー９３のシルエット内に収まるように設けると、一層、藁屑が引っ掛かるのを防止でき、好適である。
また、左右に複数並設した引起装置８のうち、非引起作用側を対向させた二つの引起装置８の引起ラグ３０の左右両側の作用域内に、引起カバー９３と引起フレーム２６と引起支持枠体３４とを配置すると、引起装置８の引起作用に影響を与えずに、引起装置８および引起支持枠体３４を設けることができ、引起搬送を円滑にする。
前記引起装置８の引起フレーム２６は、少くなくとも、前記引起支持枠体３４の上部横伝動筒３５の左右両側のメタル部材９０の後端より前側に位置させる。
そのため、引起カバー９３と引起フレーム２６とメタル部材９０の前後幅を小さくコンパクトにし、引起装置８の後方の穀稈搬送空間を広くさせられる。
【００２６】
（実施例の作用）
左右に複数並設した分草体７により分草されて引起装置８により引起された穀稈は、並行状態のまま刈刃１１により根元が切断されて搬送され、株元引継搬送装置１５と穂先引継搬送装置１６に受け渡し、その後、株元引継搬送装置１５と穂先引継搬送装置１６から脱穀装置３の穀稈供給搬送装置１７に引継ぎ、脱穀装置３で脱穀される。
刈取装置４は、分草体７と各分草体７の後方の引起装置８等を有して構成し、分草体７や引起装置８等は刈取フレーム２０に取付け、刈取フレーム２０は、左右方向の下部横伝動ケースの左右側に設けた側部伝動ケースと側部フレームの間の上部横伝動ケース２４に前記引起装置８に回転伝達する引起伝動筒２５の上部を取付け、引起伝動筒２５の下部には、左右に複数並設した引起装置８のうち、非引起作用側を対向させた二つの引起装置８の引起フレーム２６を取付けた矩形形状の引起支持枠体３４を取付けているので、非引起作用側を対向させた二つの引起装置８は矩形形状の引起支持枠体３４に支持された状態で穀稈を引き起こし、刈取装置４の刈取フレーム２０の剛性を高める。
【００２７】
そのため、作業負荷による刈取装置４の各部の位置ずれが起こりにくく、刈取作業を円滑にする。
即ち、引起支持枠体３４は、左右方向の上部横伝動筒３５の左右両側に左右一対の縦枠３６の上部を取付け、左右の縦枠３６の下部を下部横枠３７により連結して、矩形形状に形成しているので、引起支持枠体３４の四辺により荷重を支持できて、刈取フレーム２０の剛性を高められる。
引起装置８の引起フレーム２６は、引起ラグ３０の作用側の側縁４３を案内レール等を設けるために、引起ラグ３０の移動軌跡に接近させているが、引起ラグ３０の非作用側は倒伏した引起ラグ３０の移動スペースを考慮して開放部４４に形成しており、非引起作用側を対向させた二つの引起装置８は、左右の引起フレーム２６の夫々の外側を引起ラグ３０の作用域として配置し、引起支持枠体３４の縦枠３６を引起フレーム２６の開放部４４から偏倚した位置に配置しているので、引起装置８の引起フレーム２６の開放部４４から排出される藁屑が、引起支持枠体３４の縦枠３６によって邪魔されることなく排出され、藁屑の詰まりによる引起装置８の作動不良が起こりにくくなり、刈取作業を円滑に維持できる。
【００２８】
即ち、引起支持枠体３４の縦枠３６は、正面視において引起フレーム２６と重なるようにし、引起フレーム２６の裏側に所定の間隔おいて略平行に配置しているので、縦枠３６の存在が、引起装置８の引起フレーム２６の開放部４４からの藁屑の排出に影響せず、藁屑の詰まりによる引起装置８の作動不良が起こりにくくなり、刈取作業を円滑に維持できる。
引起装置８の下部は、引起支持枠体３４の下部横枠３７に下側係合手段６５により着脱自在に取付けているので、引起装置８の着脱を容易にし、メンテナンス作用を容易にする。
下側係合手段６５は、引起支持枠体３４の左右の夫々の縦枠３６に対して引起フレーム２６の開放部４４の反対側に偏倚させた下部横枠３７に設けているので、引起フレーム２６の開放部４４から排出される藁屑が下側係合手段６５に掛かりにくく、藁屑の堆積を防いで刈取作業を円滑にする。
【００２９】
下側係合手段６５は、下部横枠３７により引起フレーム２６の下部を支持した状態で、この係合状態を離脱不能にロックする構成とし、引起フレーム２６の開放部４４を避けた位置に配置しているので、引起フレーム２６の開放部４４から排出される藁屑が引起フレーム２６により下側係合手段６５に引っ掛かりにくくし、藁屑の堆積を防いで刈取作業を円滑にする。
しかして、引起装置８の駆動歯車２７の駆動軸３２と出力軸３３とは、引起フレーム２６側のハブ部９２に軸装した駆動軸３２メタル部材９０側に軸装した出力軸３３とに分割形成し、出力軸３３にスプライン溝９１を形成しているので、ハブ部９２を出力軸３３に印籠継ぎ状態でスプライン嵌合させると、装着できる。
反対に、駆動軸３２のハブ部９２を出力軸３３から抜くだけで、引起装置８の伝動機構の取り外しができる。
【００３０】
また、引起装置８は、引起フレーム２６に引起カバー９３と引起フレーム２６と引起チェン３１とテンションアーム９４とをアッシー状態に組み付けて構成しているので、引起装置８の駆動軸３２のハブ部９２をメタル部材９０の出力軸３３にスプライン嵌合させれば、引起装置８全体を引起支持枠体３４に着脱することになる。
そのため、引起装置８のメンテナンス作業を容易にする。
左右に複数並設した引起装置８のうち、非引起作用側を対向させた二つの引起装置８は、その引起フレーム２６を引起伝動筒２５の下部に設けた矩形形状の引起支持枠体３４に取付け、引起支持枠体３４は、上部横伝動筒３５の両側の縦枠３６と下部横枠３７とにより構成し、下部横枠３７の下部は、縦杆３８により分草杆３９に取付け、分草杆３９の基部は刈刃フレーム４０に固定しているので、刈取装置４の刈取フレーム２０の剛性を高め、作業負荷による刈取装置４の各部の位置ずれが起こりにくく、刈取作業を円滑にする。
【００３１】
また、引起支持枠体３４に、非引起作用側を対向させた二つの引起装置８の引起フレーム２６を着脱自在に取付けているので、メンテナンス作業を容易にする。
この場合、非引起作用側を対向させた二つの引起装置８の引起フレーム２６の上下部分を連結杆４１により連結しておくと、非引起作用側を対向させた二つの引起装置８を引起支持枠体３４に対して一度に着脱でき、着脱が容易になる。
前記引起装置８の引起フレーム２６は、引起ラグ３０の案内レール等を引起ラグ３０の作用側に設けるために、引起フレーム２６の引起ラグ３０の作用側の側縁４３は引起ラグ３０の移動軌跡より外側に位置させるが、引起ラグ３０の非作用側は倒伏した引起ラグ３０の移動スペースを考慮して開放部４４に形成しており、前記非引起作用側を対向させた二つの引起装置８は、左右の引起フレーム２６の夫々の外側を引起ラグ３０の作用域として配置し、前記引起支持枠体３４の縦枠３６は開放部４４から外した位置に配置しているので、引起装置８の引起フレーム２６の開放部４４から排出される藁屑が、引起支持枠体３４の縦枠３６によって邪魔されることなく排出され、藁屑の詰まりによる引起装置８の作動不良が起こりにくくなり、刈取作業を円滑に維持できる。
【００３２】
即ち、引起支持枠体３４の縦枠３６は、正面視において引起フレーム２６と重なるように、引起フレーム２６の裏側に所定の間隔おいて略平行に配置しているので、縦枠３６の存在が、引起装置８の引起フレーム２６の開放部４４からの藁屑の排出に影響せず、藁屑の詰まりによる引起装置８の作動不良が起こりにくくなり、刈取作業を円滑に維持できる。
引起フレーム２６の上部は引起支持枠体３４の上部横伝動筒３５側に着脱自在に上側着脱手段４７により取付け、引起フレーム２６の下部は引起支持枠体３４の下部横枠３７に下側係合手段６５により着脱自在に係合させて取付けているので、引起装置８の下側係合手段６５を引起支持枠体３４の下部横枠３７に係合させ、引起装置８を後側に回動させて、引起装置８の駆動歯車２７の駆動軸３２を、引起支持枠体３４側の出力軸３３にスプライン嵌合させ、上側着脱手段４７により引起フレーム２６の上部を前記引起支持枠体３４の上部横伝動筒３５側に固定して、引起装置８を装着する。
したがって、引起装置８の装着を容易にする。
【００３３】
下側係合手段６５は、引起フレーム２６側に設けた、一部に係合孔６６を開口させた円筒状の係合体６７と、前記下部横枠３７に設けた係合体６７の内周に当接する円弧状の一対の当接面６８および一対の当接面６８を結ぶ平行な挿入面６９を有する固定側係合部７０とにより形成し  固定側係合部７０は前上がりに傾斜させているので、引起装置８の係合体６７の係合孔６６を下部横枠３７の固定側係合部７０に係合させ、引起装置８を後方回動させて引起支持枠体３４に当接させると、下部横枠３７から外れることがない。
そのため、一々着脱操作をすることなく、引起装置８を前後方向に回動させるだけで、脱着できるので、着脱操作を容易にする。
また、円筒状の係合体６７と円柱の外周に挿入面６９を形成した固定側係合部７０により下側係合手段６５を構成しているので、構成を簡素にでき、安価に提供できる。
【００３４】
また、上側着脱手段４７は、引起装置８側に設けた係合部材４８に係合する係合フック４９を、該係合フック４９の操作するレバー部５０に、レバー部５０の操作により移動するように引起支持枠体３４側に取付けて構成しているので、係合部材４８に係合フック４９を係合させ、レバー部５０を回動させると、係合フック４９の基部が軸５１の軸周りを移動して、係合フック４９の先端位置を移動させて、係合部材４８に係合させる。
この場合、上側着脱手段４７の係合フック４９は、レバー部５０の開き方向を引起ラグ３０の作用域側に開くように構成しているので、引起装置８の外側から上側着脱手段４７付近への手の挿入を容易にし、操作性を向上させられる。
図１２〜図１４の下側係合手段６５の他の実施例では、固定側係合部７０を軸７５の先端に大径部７６を設けて形成し、係合体６７を大径部７６が通過しうる挿通孔７７と前記軸７５のみが移動自在の挿通孔７７に連通する移動溝７８とにより構成しているので、引起装置８の係合体６７の挿通孔７７を固定側係合部７０の大径部７６に挿通し、この状態で引起装置８を後側に回動させると、固定側係合部７０の軸７５が係合体６７の移動溝７８に嵌り、引起装置８の下部は引起支持枠体３４の下部横枠３７から外れなくなる。
【００３５】
したがって、一々着脱操作をすることなく、引起装置８を前後方向に回動させるだけで、脱着できるので、着脱操作を容易にする。
この場合、下側係合手段６５の固定側係合部７０は、下部横枠３７の引起装置８の搬送通路側に設けているので、下側係合手段６５に穀稈や藁屑の引っ掛かりを防止する。
図１５〜図１８の下側係合手段６５の他の実施例では、下部横枠３７の一部を回転のみ自在に構成した回転部回転部８０と、該回転部８０に形成した係合孔８１とにより前記固定側係合部７０を構成し、引起フレーム２６の下部に前記係合孔８１に係合する係合軸８２を設けて係合体６７を構成しているので、引起装置８の係合体６７の係合軸８２を固定側係合部７０の係合孔８１に係合させ、この状態で引起装置８を後側に回動させ、引起装置８の駆動歯車２７の駆動軸３２を、引起支持枠体３４側の出力軸３３にスプライン嵌合させ、上側着脱手段４７により引起フレーム２６の上部を前記引起支持枠体３４の上部横伝動筒３５側に固定して、引起装置８を装着する。
したがって、引起装置８の装着が容易になる。
【００３６】
図１７〜図２５の下側係合手段６５の他の実施例では、引起フレーム２６の裏面に係合部材４８と係合フック４９とを設けて係合体６７とし、引起支持枠体３４の下部横枠３７を固定側係合部７０としており、係合体６７は係合部材４８に係合する係合フック４９と、該係合フック４９の操作するレバー部５０とにより構成しているので、係合フック４９を係合部材４８に係合させ、レバー部５０を操作すると、係合フック４９の基部が軸５１の軸周りを移動して、係合フック４９の先端位置を移動させて、前記係合部材４８に係合し、係合部材４８と係合フック４９とが下部横枠３７を保持して引起装置８の下部を固定する。
この場合、係合部材４８は、引起フレーム２６の裏面に設けた取付部５３に受部５４の基部を軸５５により回動自在に取付け、受部５４に係合部５６を設けて構成し、この受部５４は下部横枠３７に合わせて円弧形状に形成しているので、下側係合手段６５により引起装置８の下部を係合固定状態にしていても、引起装置８を下部横枠３７の軸心を中心に前後に回動させられ、メンテナンスを行える。
【００３７】
また、係合部材４８と係合フック４９により構成した下側係合手段６５および上側着脱手段４７は、係合部材４８に係合する係合フック４９を、該係合フック４９の操作するレバー部５０に、レバー部５０の操作により移動するように取付けて構成しているので、レバー部５０を操作すると、係合フック４９の基部が軸５１の軸周りを移動して、係合フック４９の先端位置を移動させて、係合部材４８から離脱する。
反対に、係合フック４９を係合部材４８に引っ掛けてレバー部５０を引くと、係合フック４９の係合状態を保持する。
したがって、引起装置８の着脱は、下側係合手段６５と上側着脱手段４７の操作により行えるので、頗る容易になる。
引起装置８の下側係合手段６５と引起支持枠体３４の下部横枠３７との間において、引起装置８の取付位置を変更長可能にする調節手段９６を設けているので、部品の製造誤差や組付誤差を吸収し、組立作業を容易にし、引起装置８の着脱を容易にする。
【００３８】
この場合、調節手段９６は、縦杆３８に板部材９７を設け、板部材９７の縦の長孔９８を通して下部横枠３７に螺子（図示省略）を螺合させる構成なので、長孔９８の長さの分取付位置を上下させられ、部品の製造誤差や組付誤差を吸収し、組立作業を容易にし、引起装置８の着脱を容易にする。
左右に複数並設した引起装置８のうち、非引起作用側を対向させた二つの引起装置８の引起フレーム２６を取付けた引起支持枠体３４の下部横枠３７の左右中間部分には縦杆３８により分草杆３９に取付け、分草杆３９から前記引起装置８の引起フレーム２６の上端部背面側に亘る第一分草ガイド棒６１を設けているので、中央２条の引起フレーム２６の中間の分草体７が分草した穀稈を第一分草ガイド棒６１によって引き続き分草し、この２条のされた穀稈を左右一対の中央引起装置８により円滑に引き起こせる。
【００３９】
この第一分草ガイド棒６１の下部は分草体７の取付部６２に軸６３により回動自在に取付けているので、刈取装置４を下降させて、分草体７の取付部６２と分草杆３９との取付部分の後側のボルト６４を取り外すか弛めて、分草体７と分草杆３９と第一分草ガイド棒６１を一体に下方回動させる。
次に、第一分草ガイド棒６１と引起装置８の前面との間に空間ができるので、第一分草ガイド棒６１と引起フレーム２６上端との上側着脱手段４７の係合を解除し、引起フレーム２６を下部横枠３７の軸心を中心に前側回動させ、駆動軸３２を出力軸３３から外せる。
それゆえ、引起装置８を引起支持枠体３４に対して第一分草ガイド棒６１を分草杆３９から外すことなく、引起装置８を前側回動させて、引起装置８と引起支持枠体３４との間に空間を形成でき、藁屑除去等の操作性および作業性を向上させられる。
更に、前記下側係合手段６５の係合フック４９を、係合部材４８から外すと、引起支持枠体３４から引起装置８全体を外せる。
【００４０】
また、分草体７を分草杆３９に対して下方させられるので、引起装置８の周辺に空間を形成でき、引起装置８を前方回動させたときの分草体７との干渉を避けられる。
反対に、分草杆３９と第一分草ガイド棒６１を一体に上方回動させ、第一分草ガイド棒６１の上部を引起支持枠体３４側に設けた保持具１００に係合させ、分草体７の取付部６２と分草杆３９とをボルト６４により固定して、第一分草ガイド棒６１を装着する。
なお、前記した各実施例は、理解を容易にするために、個別または混在させて図示および説明しているが、これらの実施例は夫々種々組合せ可能であり、これらの表現によって、構成・作用等が限定されるものではなく、また、相乗効果を奏する場合も勿論存在する。
【符号の説明】
【００４１】
１…機体フレーム、２…走行装置、３…脱穀装置、４…刈取装置、５…グレンタンク、５…グレンタンク、６…操縦部、７…分草体、８…引起装置、９…掻込装置、１０…前側株元搬送装置、１１…刈刃、１２…穂先搬送装置、１３…後側搬送装置、１４…後側穂先搬送装置、１５…株元引継搬送装置、１６…穂先引継搬送装置、１７…穀稈供給搬送装置、２０…刈取フレーム、２１…下部横伝動ケース、２２…縦支持フレーム、２３……上部横伝動ケース、２５…引起伝動筒、２６…引起フレーム、２７…駆動輪、２８…下部従動輪、３０…引起ラグ、３１…引起チェン、３２…駆動軸、３３…出力軸、３４…引起支持枠体、３５…上部横伝動筒、３６…縦枠、３７…下部横枠、３９…分草杆、４０…刈刃フレーム、４１…連結杆、４３…側縁、４４…開放部、４７…上側着脱手段、４８…係合部材、４９…係合フック、５０…レバー部、５１…軸、５２…操作端、５３…取付部、５４…受部、５４Ａ…上側受部、５５…軸、５６…係合部、６１…第一分草ガイド棒、６２…取付部、６３…軸、６４…ボルト、６５…下側係合手段、６６…係合孔、６７…係合体、６８…当接面、６９…挿入面、７０…固定側係合部、７５…軸、７６…大径部、７７…挿通孔、７８…移動溝、８０…回転部、８１…係合孔、８２…係合軸、８５…ガイド体、８６…第二分草ガイド棒、９０…メタル部材、９１…スプライン溝、９２…ハブ部、９３…引起カバー、９４…テンションアーム、１００…保持具、
【図１】
2012175950.tif 000003
【図２】
2012175950.tif 000004
【図３】
2012175950.tif 000005
【図４】
2012175950.tif 000006
【図５】
2012175950.tif 000007
【図６】
2012175950.tif 000008
【図７】
2012175950.tif 000009
【図８】
2012175950.tif 000010
【図９】
2012175950.tif 000011
【図１０】
2012175950.tif 000012
【図１１】
2012175950.tif 000013
【図１２】
2012175950.tif 000014
【図１３】
2012175950.tif 000015
【図１４】
2012175950.tif 000016
【図１５】
2012175950.tif 000017
【図１６】
2012175950.tif 000018
【図１７】
2012175950.tif 000019
【図１８】
2012175950.tif 000020
【図１９】
2012175950.tif 000021
【図２０】
2012175950.tif 000022
【図２１】
2012175950.tif 000023
【図２２】
2012175950.tif 000024
【図２３】
2012175950.tif 000025
【図２４】
2012175950.tif 000026